(57)【要約】【課題】小さなゴミやほこりが露出する上粘着剤層に付着する場合においても、その見栄えを良くし、装飾用シールの商品性を保持することを目的とする。【解決する手段】基材シート１３の上面側に上粘着剤層１６を下面側に下粘着剤１４を備え、上粘着剤層１６の上面に装飾パーツ１１を接着し、配列するとともに、下粘着剤層１４の下面に剥離シート１２を被着する装飾用シール１０にあって、上粘着剤層１６を、基材シート１３の上面に着色剤を塗布して着色剤層１５を構成し、さらにその上面に、粘着剤を被着して構成したものとしている。【選択図】  図１
0003144121.tif 000002
【実用新案登録請求の範囲】
【請求項１】
面状の基材シートの上面側に面状の上粘着剤層を、基材シートの下面側に面状の下粘着剤層を備え、上粘着剤層の上面に多数の装飾パーツを接着し、配列するとともに、下粘着剤層の下面に面状の剥離シートを被着してなる装飾用シールであって、上記上粘着剤層は、基材シートの上面に面状に着色剤を塗布して構成する着色剤層のさらに上面に、粘着剤を被着し、構成することを特徴とする装飾用シール。
【請求項２】
前記着色剤層を、着色剤の他に粉状のラメ材を混入して構成するものとした請求項１に記載の装飾用シール。
【請求項３】
前記着色剤層を基材シートの上面にインクジェットプリンタにより着色剤を塗布して構成するものとした請求項１に記載の装飾用シール。
【考案の詳細な説明】
【技術分野】
【０００１】
本考案は、携帯電話機、手鏡、手帳などの小物類に多数の装飾パーツを貼着するための装飾パーツを接着し、配列してなる装飾用シールに関する。
【背景技術】
【０００２】
ここ数年、女子高校生など若い女性を中心に携帯電話機、手鏡、手帳などの小物類に多数の装飾用パーツを列状に配列し、個々人がオリジナルに飾り付けを行う通称"デコ電"などと呼ばれるものが流行している。
【０００３】
こうした装飾パーツは、一般に下記特許文献１に示すように上面あるいは下面に粘着剤層を備えた面状の基材シートの上面側の上粘着剤層上に、クリスタルガラスや合成樹脂製からなる粒状の装飾パーツを接着し、これら装飾パーツの複数を配列して装飾用シールを構成するようにしている。
すなわち装飾用シールは、下面側の下粘着剤層のさらに下面に剥離シートを貼着する状態で販売され、装飾用シートの購入者においては使用時において剥離シートを剥離して、下面側の粘着剤を携帯電話機の外面側の被着面に被着させ、例えば装飾パーツが配列された携帯電話機を創出させるようにしている。
【特許文献１】実用新案登録第３１１０６９４号公報）
【０００４】
例えば図８は多数の装飾パーツ１をその外面に被着させ、構成される携帯電話機２を示す。このように多数の装飾パーツ１を例えばマトリックス状に配列するについては、図９に示す装飾用シール３から装飾パーツ１がマトリックス状に配列されたものをシート状態で剥離し、図１に示すようにして携帯電話機２の外面に被着させるようにしている。
【０００５】
装飾用シール３は、図１０に示すように可撓性を有する合成樹脂製のフイルム状の基材シート４の上面側に、面状の上粘着剤層５を備える。また基材シート４の下面側にも面状の下粘着剤層６を備える。各粘着剤層５、６は基材シート３に接着剤を塗布して構成され、上粘着剤５の上面にはクリスタルガラスや合成樹脂製からなる粒状の装飾パーツ１の複数が、列状に接着される。
【０００６】
下粘着剤層６の下面には、面状からなり、合成樹脂製のフイルム等にて形成される剥離シート７が、下粘着剤層６に接着される状態で被着される。こうしてマトリックス状に配列され、上粘着剤層５の上面に装飾パーツ１が被着された装飾用シール３は、装飾パーツ１が配列された領域を方形状に剥離シート７から剥離するための切込み８が形成される。こうした状態で形成される装飾用シール３は、合成樹脂製の袋等に包装される状態で販売される。そして使用時においては図１０に示すようにして装飾パーツ１が配列された部分を剥離シート７から剥離し、図８に示すように携帯電話機２等の外面に下粘着剤層６を接着させ、携帯電話機２等に装飾パーツ１を外装可能にしている。
【考案の開示】
【考案が解決しようとする課題】
【０００７】
上記従来の装飾用シール３にあっては、下面側においては剥離シート７が被着されているものの、上粘着剤層５は装飾パーツ１が接着されている部分以外は外面にそのまま露出しているため、この部分に小さなゴミやほこりが付着し易い不具合があった。
【０００８】
このようにして小さなゴミやほこりが装飾パーツ１間の上粘着剤層５に付着すると装飾用シール３の見栄えが悪くなり、その商品の価値が低くなるものとされていた。
【０００９】
本考案は、こうした不具合に着目してなされたものであり、小さなゴミやほこりが露出する上粘着剤層に付着する場合においても、その見栄えを良くし、装飾用シールの商品性を保持することを目的としている。
【課題を解決するための手段】
【００１０】
上記目的を達成するため、本考案は面状の基材シートの上面側に面状の上粘着剤層を、基材シートの下面側に面状の下粘着剤層を備え、上粘着剤層の上面に多数の装飾パーツを接着し、配列するとともに、下粘着剤層の下面に面状の剥離シートを被着してなる装飾用シールであって、上記上粘着剤層は、基材シートの上面に面状に着色剤を塗布して構成する着色剤層のさらに上面に、粘着剤を被着し、構成することを特徴とする装飾用シールとしている。
【００１１】
また本考案においては、前記着色剤層を、着色剤の他に粉状のラメ材を混入して構成するものとしている。
【００１２】
さらに本考案においては、前記着色剤層を基材シートの上面にインクジェットプリンタにより着色剤を塗布して構成するものとしている。
【考案の効果】
【００１３】
本考案の装飾用シールによれば、小さなゴミやほこりが接着し易い基材シート上面の面状の上粘着剤層の下層に着色剤層が備えられるため、着色剤層に反射する光の影響で装飾パーツが接着された上粘着剤層に小さなゴミやほこりが付着しても目立つことがないため、見栄えが良く、その商品性を高めることができる効果がある。
【考案を実施するための最良の形態】
【００１４】
以下、考案の好適な実施形態について、図面に基づいて説明する。図２は実施形態に係る装飾用シールの全体を示す斜視図であり、図１は図２のＩ−Ｉ線に沿う断面図である。
【００１５】
装飾用シール１０は、ハート模様に列状に配列された装飾パーツ１１を、方形状からなる剥離シート１２上に被着させてなり、この剥離シート１２から装飾パーツ１１をシート状に剥離し、図８に示すように携帯電話機の外面に貼着したり、その他手鏡、手帳などの小物類の外面に粘着して用いるようにしている。
【００１６】
装飾用シール１０は、図１に示すように基材シート１３の下面に面状の下粘着剤層１４を備える。基材シート１３は可撓性を有する合成樹脂製のフイルム材等で形成され、その下面の下粘着剤層１４は基材シート１３の下面に粘着性を有する接着剤を塗布して形成される。基材シート１３の上面には、黄色、赤色、緑色などの着色剤を選択して構成される着色剤を面状にして塗布し、構成される着色剤層１５が備えられる。さらに着色剤層１５の上面には面状の上粘着剤層１６が備えられ、上粘着剤層１６も下粘着剤層１４と同様に基材シート１３上の着色剤層１５の上面に粘着性を有する接着剤を塗布して形成される。
【００１７】
さらに上粘着剤層１６の上面には、クリスタルガラスや合成樹脂製からなる粒状の装飾パーツ１６の複数が、全体ハート形をなすように列状に接着される。このようにして形成される装飾用シール１０は、合成樹脂製の袋に収容される状態で販売され、購入者においては袋から出し、剥離シート１２から剥離して小物類の外面に被着して利用するようにしている。
【００１８】
次に装飾用シール１０の形成工程を図３ないし図７に基づいて説明する。先ず図３に示すように面状の基材シート１３の上面にインクジェットプリンタの塗布ノズル１７から着色剤を噴射させ、着色剤層１５を塗布するようにする。着色剤には、必要に応じて着色剤に粉状のラメ剤を混入させるようにしてもよい。
【００１９】
こうして、上面に着色剤層１５が形成された基材シート１３は、次に図４に示すように一対の粘着剤塗布ローラ１８間を通過させ、上面側に上粘着剤層１６を、下面側に下粘着剤層１４を塗布する。さらに、上下に各粘着剤層１４、１６を備えるようにした基材シート１３には、各粘着剤層１４、１６に面状の紙シール材等で形成される保護シート１９を圧着ローラ２０間を通過させる状態で被着させ、一旦保護シート１９が上下両面に被着された中間体２１を形成する。
【００２０】
こうして保護シート２０が被着され、生成された面状の中間体２１は、図６に示すように、形成する装飾用シールの形に合わせて様々な模様に型抜きされる。次いでこの型抜きされた中間体２１から保護シート２０を剥がし、下粘着剤層１４の下面剥離シート１２を被着させる（図７参照）。また保護シート２０を剥がした上粘着剤層１６の上面には、装飾パーツ１１が接着され、このようにして図２に示すような装飾用シール１０が形成されることとなる。
【００２１】
こうして形成される装飾用シール１０は、基材シート１３の上面の、面状の上粘着剤層１６の下層に着色剤層１５が備えられることとなる。このため、装飾用シール１０の表面に光があたった場合に薄肉な上粘着剤層１６を光が通過して着色剤層１５に反射する光の影響で、装飾パーツ１１が接着された上接着剤層１６に小さなゴミやほこりが付着する場合においても目立つことがない。すなわち、着色剤層１５は黄色、赤色、緑色などの着色剤にて構成されるため、この色彩の影響で小さなゴミやほこりは、反射される有色光に紛れて目立たなくなる。加えて着色剤に粉状のラメ材が混入される場合は、さらに反射される光がラメ材により散乱するため、よりゴミやほこりが目立たない状態となる。この結果、装飾用シール全体の見栄えを良くし、その商品性を高め、保持することが可能となる。
【図面の簡単な説明】
【００２２】
【図１】本考案の実施形態に係る装飾用シールを示し、図２のＩ−Ｉ線に沿う断面図である。
【図２】装飾用シールの全体を示す斜視図である。
【図３】装飾用シールの形成過程のうち基材シートの上面に着色剤層を構成する状態を示す断面図である。
【図４】上粘着剤層並びに下粘着剤層の塗布工程を示す断面図である。
【図５】上粘着剤層並びに下粘着剤に保護シート材を貼着し、中間体を生成する工程を示す断面図である。
【図６】生成された中間体を型抜きする状態を示す斜視図である。
【図７】生成された中間体から上粘着剤層に貼着された保護シートを剥離し、総称パーツを接着する状態を示す断面図である。
【図８】装飾パーツが列状に被着された携帯電話機を示す斜視図である。
【図９】従来の装飾用シールの全体を示す平面図である。
【図１０】図９のＸ−Ｘ線に沿う断面図である
【符号の説明】
【００２３】
１、１１              装飾パーツ
２                    携帯電話機
３、１０              装飾用シール
４、１３              基材シート
５、１６              上粘着剤層
６、１４              下粘着剤層
７、１２              剥離シート
８                    切込み
１５                  着色剤層
１７                  塗布ノズル
１８                  塗布ローラ
１９                  保護シート
２０                  圧着ローラ
２１                  中間体
【図１】
0003144121.tif 000003
【図２】
0003144121.tif 000004
【図３】
0003144121.tif 000005
【図４】
0003144121.tif 000006
【図５】
0003144121.tif 000007
【図６】
0003144121.tif 000008
【図７】
0003144121.tif 000009
【図８】
0003144121.tif 000010
【図９】
0003144121.tif 000011
【図１０】
0003144121.tif 000012